(57)【要約】【課題】ポンプ装置の駆動音が容器外に伝わることを低減できる給水装置を提供すること。【解決手段】給水装置１０は、内部空間の圧力が大気圧に対して負圧である、密閉される容器２０と、容器２０内に配置されたキャンドポンプ４０と、キャンドポンプ４０の吸込口４７に接続されて容器２０の内外にわたる流路を構成する第１の流路部５０と、キャンドポンプ４０の吐出口４８に接続されて容器２０の内外にわたる流路を構成する第２の流路部６０と、を備える。【選択図】      図１
2019190319.tif 000002
【特許請求の範囲】
【請求項１】
内部空間の圧力が大気圧に対して負圧である、密閉される容器と、
前記容器内に配置されたポンプ装置と、
前記ポンプ装置の吸込口に接続されて前記容器の内外にわたる流路を構成する第１の流路部と、
前記ポンプ装置の吐出口に接続されて前記容器の内外にわたる流路を構成する第２の流路部と、
を具備する給水装置。
【請求項２】
前記第１の流路部及び前記第２の流路部は、それぞれ、少なくとも一部が、前記ポンプ装置からの振動を減衰可能な材料で筒状に構成される
請求項１に記載の給水装置。
【請求項３】
前記ポンプ装置からの振動を減衰可能な材料から形成された減衰部と、前記減衰部に固定され、前記ポンプ装置が固定されたベースと、を具備し、前記容器の内面に固定された台を具備した
請求項１に記載の給水装置。
【請求項４】
前記第１の流路部及び前記第２の流路部は、それぞれ、前記ポンプ装置からの振動を減衰可能な材料で形成されたホースを具備する
請求項３に記載の給水装置。
【請求項５】
前記容器は、上端が開口したケース、及び前記ケースの上端に設けられたカバーを具備し、
前記第１の流路部及び前記第２の流路部の一部は、前記カバーに形成され、
前記第１の流路部及び前記第２の流路部の少なくとも一方は、前記ポンプ装置を前記容器内に吊り下げた状態で前記容器内に支持する
請求項４に記載の給水装置。
【請求項６】
前記容器の外に設置され、前記ポンプ装置のモータ部の駆動を制御する電装部と、
前記電装部及び前記モータ部に接続されたモータケーブルと、
前記容器に形成され、前記モータケーブルの一部を配置する孔部と、
前記孔部と前記モータケーブルとの間を密閉するシール部材と、
を具備する請求項１に記載の給水装置。
【請求項７】
前記第２の流路部の二次側に設けられ、前記容器の外に配置された、流量センサ及び圧力センサの少なくとも一方を具備する請求項１に記載の給水装置。
【請求項８】
前記第２の流路部の二次側に設けられ、前記容器の外に配置された、アキュムレータを具備する請求項１に記載の給水装置。
【請求項９】
前記第１の流路部の一次側に設けられ、前記容器の外に配置された逆流防止装置を具備する請求項１に記載の給水装置。
【請求項１０】
前記第２の流路部は、前記ポンプ装置のモータ部の外面に固定されて前記モータ部と熱の交換を行うウォータージャケットを含む
請求項１に記載の給水装置。
【請求項１１】
前記ポンプ装置は、キャンドポンプである
請求項１に記載の給水装置。
【発明の詳細な説明】
【技術分野】
【０００１】
本発明は、モータにより駆動するポンプを有する給水装置に関する。
【背景技術】
【０００２】
建物に給水する給水装置として、ポンプと、ポンプを駆動するモータと、モータの回転数を制御するインバータを含む電装部とが、ケーシング内に収容された構成が知られている。
【０００３】
このような給水装置は、ポンプ及びモータの駆動音がケーシングの外に伝わることにより、騒音の問題が生じる場合がある。このような騒音の問題に対して、ケーシングの内面に吸音材を設ける技術が知られている。（例えば、特許文献１参照。）。
【０００４】
また、ケーシングを、内部に弾性体が収容されたパネルや、内部が真空引きされたパネルで構成する技術も知られている（例えば、特許文献２，３，４参照。）。
【先行技術文献】
【特許文献】
【０００５】
【特許文献１】特開２００３−２４７４９５号公報
【特許文献２】特開平１１−３３０７２１号公報
【特許文献３】特許第５４０４７８９号明細書
【特許文献４】特許第５５１６４５１号明細書
【発明の概要】
【発明が解決しようとする課題】
【０００６】
上述のように、容器の内面に吸音材を設けられたケーシングであっても、ポンプ及びモータの駆動音がケーシング内の空気を伝ってケーシングに伝播することにより、ケーシングの吸音材が設けられていない範囲が振動する。この為、ケーシング外にポンプ及びモータの駆動音が伝わることを低減できない虞がある。
【０００７】
また、内部に弾性体が収容されたパネルや真空引きされたパネルで構成されたケーシングであっても、ポンプ及びモータの駆動音がケーシング内の空気を伝ってケーシングに伝播することにより、パネルが振動することによってポンプ及びモータの駆動音がケーシング外に伝わる虞がある。この為、ケーシング外にモータ及びポンプの駆動音が伝わることを低減できない虞がある。
【０００８】
この為、本発明は、ポンプ装置の駆動音が容器外に伝わることを低減できる給水装置を提供することを目的とする。
【課題を解決するための手段】
【０００９】
本発明の一態様の給水装置は、内部空間の圧力が大気圧に対して負圧である、密閉される容器と、前記容器内に配置されたポンプ装置と、前記ポンプ装置の吸込口に接続されて前記容器の内外にわたる流路を構成する第１の流路部と、前記ポンプ装置の吐出口に接続されて前記容器の内外にわたる流路を構成する第２の流路部と、を備える。
【発明の効果】
【００１０】
本発明によれば、ポンプ装置の駆動音が容器外に伝わることを低減できる給水装置を提供できる。
【図面の簡単な説明】
【００１１】
【図１】本発明の第１の実施形態に係る給水装置の構成を示す断面図。
【図２】本発明の第２の実施形態に係る給水装置の構成を示す断面図。
【図３】同給水装置の構成を示す断面図。
【図４】本発明の第３の実施形態に係る給水装置の構成を示す断面図。
【図５】同給水装置の構成を示す断面図。
【図６】同給水装置に用いられるウォータージャケットの構成を示す断面図。
【図７】本発明の第４の実施形態に係る給水装置の構成を示す平面図。
【図８】同給水装置の構成を示す断面図。
【図９】同給水装置の構成を示す断面図。
【発明を実施するための形態】
【００１２】
本発明の第１の実施形態に係る給水装置１０を、図１を用いて説明する。図１は、給水装置１０の構成を示す断面図である。給水装置１０は、例えば、水道管や貯水槽に連結管を介して連結され、水を増圧して二次側に吐出する。
【００１３】
図１に示すように、給水装置１０は、容器２０と、容器２０の例えば底面２４ａに固定された台３０と、台３０に固定されたキャンドポンプ４０と、キャンドポンプ４０の吸込口４７に接続されて容器２０の内外に亘って設けられた第１の流路部５０と、キャンドポンプ４０の吐出口４８に接続されて容器２０の内外に亘って設けられた第２の流路部６０と、電装部７０と、モータケーブル８０と、吐出側継ぎ手９０と、アキュムレータ１００と、を有している。
【００１４】
容器２０は、上端が開口する筒状に構成されたケース２１と、ケース２１の上端を密閉するカバー２２と、を有している。  
ケース２１は、胴部２３と、胴部２３の下端に設けられた底壁部２４と、胴部２３の上端に形成されたフランジ部２５と、を有している。  
胴部２３は、第１の孔部２３ａと、第２の孔部２３ｂと、第３の孔部２３ｃと、第４の孔部２３ｄと、を有している。  
第１の孔部２３ａは、例えば、胴部２３の上下方向の中央より下方に位置している。第１の孔部２３ａは、第１の流路部５０の一部が配置可能に形成されている。第１の孔部２３ａの形状は、例えば円形である。胴部２３の外周面の第１の孔部２３ａの縁には、連結管が接続可能な連結口部２３ａ１が設けられている。なお、この連結管は、水道管や貯水槽に連結される。連結口部２３ａ１は、例えば、円筒状の部材を、胴部２３の外周面の第１の孔部２３ａの縁に固定することにより、構成される。
【００１５】
第２の孔部２３ｂは、第１の孔部２３ａの上方であり、例えば胴部２３の上端近傍に位置している。胴部２３の外周面の第２の孔部２３ｂの縁には、吐出側継ぎ手９０が接続される。  
第３の孔部２３ｃは、第１の孔部２３ａの下方に位置している。第３の孔部２３ｃには、バルブ２８が設けられている。バルブ２８は、容器２０内を真空引きする際に使用される真空ポンプが着脱可能に構成されている。バルブ２８は、真空ポンプが接続された状態で開くことによって真空ポンプが駆動されたときに容器２０内の気体例えば空気を真空ポンプ側へ流し、かつ、閉じることによって容器２０外から容器２０内への空気の流れを防止可能に構成されている。バルブ２８は、例えば、逆止弁や、作業者の操作により開閉される開閉弁である。
【００１６】
第４の孔部２３ｄは、電装部７０に対向する位置に位置している。第４の孔部２３ｄは、モータケーブル８０の一部を配置可能に形成されている。第４の孔部２３ｄの内周面には、本実施形態では、管部材２７が固定されている。第４の孔部２３ｄの内周面と管部材２７の外周面との間は、密閉されている。管部材２７は、胴部２３の内周面よりも胴部２３の径方向内側に突出する所定長さを有している。
【００１７】
管部材２７の内周面とモータケーブル８０との間には、管部材２７の内周面とモータケーブル８０との間を密閉するシール部材２９が設けられている。シール部材２９は、筒状に形成されている。シール部材２９は、例えばゴム製である。
【００１８】
ここで、管部材２７の軸方向の長さ、及びシール部材２９の軸方向の長さについて、説明する。管部材２７及びシール部材２９は、モータケーブル８０が動いた場合、または、モータケーブル８０が容器内２０内で配線された際にモータケーブル８０が湾曲する場合であっても、管部材２７の内周面とシール部材２９の外周面との間の密閉状態が維持され、かつ、シール部材２９の内周面とモータケーブル８０の外周面との間の密閉が維持される長さを有している。
【００１９】
このように構成された胴部２３は、例えば、鋼板を円筒状にロール成形することによって筒状の部材を形成し、この筒状の部材に第１乃至第４の孔部２３ａ，２３ｂ，２３ｃ，２３ｄを形成することにより、構成される。
【００２０】
底壁部２４は、例えば、板部材を胴部２３の下端に溶接することにより、構成されている。底壁部２４が胴部２３の下端に溶接により固定されることで、底壁部２４と胴部２３との間は、密閉される。なお、底壁部２４と胴部２３との固定は、溶接に限定されない。底壁部２４と胴部２３との間を密閉できる固定手段であれば、よい。
【００２１】
フランジ部２５は、例えば、環状の部材を胴部２３の外周面の上端に溶接により固定することで、構成されている。
【００２２】
カバー２２は、フランジ部２５の上に、シール部材２５ａを介して配置されている。シール部材２５ａは、環状の平板状に形成されている。カバー２２は、後述するように容器２０内の圧力が大気圧に対して負圧となる圧力に設定されることから、大気圧によってフランジ部２５に押し付けられることにより、ケース２１に固定されている。シール部材２５ａは、カバー２２とフランジ部２５との間を密閉する。このように構成された容器２０は、その内周面が、輻射効率がよい材料で構成される。例えば、容器２０の全体を、輻射効率がよい材料で構成することによって、容器２０の内周面を輻射効率がよい材料で構成することが可能となる。または、容器２０の内周面に輻射効率がよい材料で形成された別部材を固定することによって、容器２０の内周面を輻射効率がよい材料で構成することが可能となる。または、容器２０の内周面に、輻射効率のよい色の塗料を塗布することによって、容器２０の内周面を輻射効率のよい材料により構成することが可能となる。本実施形態では、例えば、容器２０の内周面は、輻射効率がよい色の塗料の一例として黒色の塗料が塗布されている。また、このように構成された容器２０は、バルブ２８が閉じることによって、密閉される。
【００２３】
台３０は、容器２０の内面に固定されている。台３０は、上部にキャンドポンプ４０が固定される。
【００２４】
台３０は、脚部３１と、脚部３１に固定されてキャンドポンプ４０が固定されるベース３２と、を有している。脚部３１は、キャンドポンプ４０からの振動を減衰可能な材料で形成されている。キャンドポンプ４０からの振動を減衰可能な材料は、例えば、ゴムである。なお、キャンドポンプ４０からの振動を減衰可能な材料は、好ましくは、キャンドポンプ４０からの振動を減衰して、ゼロまたは略ゼロにすることが可能な材料である。脚部３１は、例えば複数設けられている。脚部３１は、底壁部２４の、容器２０内に面する底面２４ａに固定されている。ベース３２は、例えば板部材から構成されている。
【００２５】
キャンドポンプ４０は、モータ部４１ａと、ポンプ部４１ｂと、を有している。  
モータ部４１ａは、ポンプ部４１ｂを駆動する。モータ部４１ａは、モータフレーム４２と、モータフレーム４２内に収容された円筒状のステータ４３と、ステータ４３内に収容されたロータ４４と、を有している。
【００２６】
モータフレーム４２は、有底筒状に構成された本体部４２ａと、本体部４２ａ内に設けられた缶４２ｂと、を有している。缶４２ｂは、例えば有底筒状に構成されており、本体部４２ａとの間に、ステータ４３を収容する収容空間を構成する。このように構成されたモータフレーム４２は、缶４２ｂと本体部４２ａとの間が密閉されており、ステータ４３を収容する収容空間内に水が侵入しない構成を有している。
【００２７】
本体部４２ａは、熱の伝導率が高い材料から形成されている。さらに、本体部４２ａの外面は、輻射効率がよい材料が構成されている。本体部４２ａは、これらの条件を満たす構成の一例として、熱の伝導率が高い材料で構成されるとともに、外面に輻射効率のよい色の塗料が塗布されている。本体部４２ａは、具体的には、熱伝導率が高い材料の一例としてアルミニウムを材料として形成されるとともに、外面に輻射効率のよい色の一例として黒色の塗料が塗布されている。
【００２８】
ステータ４３は、本体部４２ａと缶４２ｂとにより構成された収容空間内に収容されており、本体部４２ａに固定されている。ロータ４４は、缶４２ｂ内に収容されている。ロータ４４は、軸４４ａを介してモータフレーム４２内に支持されている。
【００２９】
ポンプ部４１ｂは、ポンプケーシング４５と、軸４４ａに固定されたインペラ４６と、を有している。ポンプケーシング４５は、例えば有底筒状に構成されている。ポンプケーシング４５は、その開口端がモータフレーム４２の開口端に固定されており、モータフレーム４２との間に、インペラ４６が収容されるポンプ室を構成する。なお、インペラ４６が収容されるポンプ室は、缶４２ｂの内側と連通している。ポンプケーシング４５は、吸込口４７と、吐出口４８と、を有している。
【００３０】
吸込口４７には、一次側から水が流入する。吸込口４７は、ポンプケーシング４５の端面に形成されている。吐出口４８は、増圧された水を二次側に吐き出す。吐出口４８は、ポンプケーシング４５の外周面に形成されている。
【００３１】
このように構成されたキャンドポンプ４０は、例えば、吸込口４７が第１の孔部２３ａに対向し、吐出口４８がカバー２２に対向する姿勢で、台３０のベース３２上に固定されている。
【００３２】
第１の流路部５０は、吸込口４７と第１の孔部２３ａとの間の流路部を構成し、第１の流路部５０の一次側となる容器２０外からポンプ部４１ｂに水を送水可能に構成されている。第１の流路部５０と吸込口４７との間は、密閉される。第１の流路部５０と第１の孔部２３ａとの間は密閉される。
【００３３】
第１の流路部５０は、１つまたは複数の部材により構成されている。第１の流路部５０が１つの部材で構成される場合は、第１の流路部５０は、キャンドポンプ４０からの振動を減衰可能な材料から形成される。第１の流路部５０が複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。第１の流路部５０は、本実施形態では、一例として複数の部材から構成されており、さらに一例として、吸込口４７に接続された吸込管５１と、第１の孔部２３ａに接続された第１の継ぎ手５２と、第１のホース５３と、を有している。
【００３４】
第１の継ぎ手５２は、筒状、一例として円筒状の管部材を、第１の孔部２３ａの内周面、または、胴部２３の内周面の第１の孔部２３ａの縁部に固定することにより構成されている。第１の継ぎ手５２は、本実施形態では、第１の孔部２３ａの内周面に固定されている。第１の継ぎ手５２の外周面と第１の孔部２３ａの内周面との間は、密閉されている。第１の継ぎ手５２は、第１のホース５３が接続可能に構成されている。
【００３５】
第１のホース５３は、キャンドポンプ４０からの振動を減衰可能な材料から形成されており、一例としてゴムを材料として形成されている。第１のホース５３の一端は、吸込管５１に接続されている。第１のホース５３は、例えば、内部に吸込管５１が嵌合されている。この嵌合により、第１のホース５３の内周面と吸込管５１の外周面との間は、密閉される。第１のホース５３の他端は、第１の継ぎ手５２に接続されている。第１のホース５３は、例えば、内部に第１の継ぎ手５２が嵌合されている。この嵌合により、第１のホース５３の内周面と第１の継ぎ手５２の外周面との間は、密閉される。
【００３６】
第２の流路部６０は、吐出口４８と第２の孔部２３ｂとの間の流路部を構成し、ポンプ部４１ｂからの水を、第２の流路部６０の二次側となる容器２０外へ送水可能に構成されている。第２の流路部６０と吐出口４８との間は、密閉される。第２の流路部６０と第２の孔部２３ｂとの間は密閉される。
【００３７】
第２の流路部６０は、１つまたは複数の部材により構成されている。第２の流路部６０が１つの部材から構成される場合は、第２の流路部６０は、キャンドポンプ４０からの振動を減衰可能な材料から形成される。第２の流路部６０が複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。第２の流路部６０は、本実施形態では、一例として複数の部材から構成されており、さらに一例として、吐出口４８に接続された吐出管６１と、第２の孔部２３ｂに接続された第２の継ぎ手６２と、第２のホース６３と、を有している。
【００３８】
第２の継ぎ手６２は、筒状、一例として円筒状の管部材を第２の孔部２３ｂの内周面、または、胴部２３の内周面の第２の孔部２３ｂの縁部に固定することにより構成されている。第２の継ぎ手６２は、本実施形態では、第２の孔部２３ｂの内周面に固定されている。第２の継ぎ手６２の外周面と第２の孔部２３ｂの内周面との間は、密閉されている。
第２の継ぎ手６２は、第２のホース６３が固定可能に構成されている。
【００３９】
第２のホース６３は、キャンドポンプ４０からの振動を減衰可能な材料から形成されており、一例としてゴムを材料として形成されている。第２のホース６３の一端は、吐出管６１に接続されている。第２のホース６３は、例えば、内部に吐出管６１が嵌合されている。この嵌合により、第２のホース６３の内周面と吐出管６１の外周面との間は、密閉される。第２のホース６３の他端は、第２の継ぎ手６２に接続されている。第２のホース６３は、例えば、第２の継ぎ手６２が内部に嵌合されている。この嵌合により、第２のホース６３の内周面と第２の継ぎ手６２の外周面との間は、密閉される。
【００４０】
電装部７０は、キャンドポンプ４０のモータ部４１ａの回転を制御するインバータを含んでいる。電装部７０は、容器２０の外側の、第４の孔部２３ｄに対向する位置に配置されている。電装部７０は、胴部２３の外面に固定されている。電装部７０は、表示部７１を有している。表示部７１は、給水装置１０の例えば故障表示を可能に構成されている。
【００４１】
モータケーブル８０は、キャンドポンプ４０のモータ部４１ａと電装部７０とに接続されている。モータケーブル８０の一部は、第４の孔部２３ｄ内に設けられたシール部材２９内に収容されている。モータケーブル８０の、シール部材２９内に収容された部分の外周面とシール部材２９の内周面との間は、密閉されている。
【００４２】
吐出側継ぎ手９０は、第２の孔部２３ｂに接続されており、容器２０外に配置されている。吐出側継ぎ手９０は、第２の流路部６０の二次側の流路の一部を構成する。吐出側継ぎ手９０は、逆止弁１１０と、吐出継ぎ手９０内を流れる水の流量を検出する流量センサ１１５と、吐出側継ぎ手９０内を流れる水の圧力を検出する圧力センサ１２０と、を有している。
【００４３】
逆止弁１１０は、容器２０からの水を二次側に流すとともに、逆止弁１１０の二次側から一側への水の流れを防止する。流量センサ１１５は、逆止弁１１０の二次側に配置されている。流量センサ１１５は、吐出側継ぎ手９０内を流れる水の流量に応じた信号を、例えば信号線１１６を介して電装部７０に送信する。信号線１１６は、容器２０の外側に配線されている。流量センサ１１５は、例えばフロート１１５ａを有している。フロート１１５ａは、流量に応じてその位置が変動する。流量センサ１１５は、フロート１１５ａの位置に応じた信号、すなわち、吐出側継ぎ手９０内を流れる水の流量に応じた信号を送信する。なお、流量センサ１１５のフロート１１５ａを有する構成は、一例である。流量センサ１１５は限定されない。
【００４４】
圧力センサ１２０は、吐出側継ぎ手９０内の流路内の圧力を検出する。圧力センサ１２０は、吐出側継ぎ手９０内の流路内の圧力に応じた信号を、例えば信号線１２１を介して電装部７０に送信する。信号線１２１は、容器２０の外側に配線されている。  
アキュムレータ１００は、吐出側継ぎ手９０に接続されている。
【００４５】
このように構成された給水装置１０は、第３の孔部２３ｃに設けられたバルブ２８に接続した真空ポンプにより真空引きされて、容器２０内の圧力が大気圧に対して負圧にされている。なお、真空ポンプがバルブ２８に接続されて真空ポンプが駆動される状態では、バルブ２８は開かれる。容器２０内の圧力が大気圧に対して負圧となる、予め設定された所定値になると、バルブ２８を閉じることとにより、容器２０が密閉される。予め設定された所定値は、例えば、例えば、１〜１００Ｐａである。バルブ２８に接続された真空ポンプは、バルブ２８が閉じられると、取り外される。バルブ２８が閉じられることにより、容器２０の密閉状態が維持される。
【００４６】
このように構成された給水装置１０は、容器２０内の圧力を大気圧に対して負圧にすることによって、容器２０内の気体の分子量を容器２０内が大気圧と同圧であるときに比較して、少なくしている。容器２０内で音を伝播する媒体となる気体の分子量が少なくなるので、キャンドポンプ４０の駆動音の容器２０への伝播が低減される。この為、キャンドポンプ４０の駆動音が容器２０外へ伝わることを低減できる。
【００４７】
さらに、容器２０を、消音機能を有する消音材パネルで構成することがないので、容器２０内の温度が高くなることを防止でき、給水装置１０の製造コストが高騰化することを防止できる。
【００４８】
さらに、キャンドポンプ４０を底面２４ａに固定する台３０の脚部３１が、キャンドポンプ４０からの振動を減衰可能な材料で形成されるので、台３０に伝達されたキャンドポンプ４０の振動が脚部３１によって吸収される。この為、キャンドポンプ４０の振動が容器２０に伝播することが低減されるので、容器２０が振動することにより生じる音の発生を低減できる。
【００４９】
さらに、第１の流路部５０の一部が、キャンドポンプ４０からの振動を減衰できる材料で形成された第１のホース５３により構成されるので、第１の流路部５０に伝達されたキャンドポンプ４０の振動が第１のホース５３によって吸収される。この為、キャンドポンプ４０の振動が容器２０に伝達されることが低減される。
【００５０】
さらに、第２の流路部６０の一部が、キャンドポンプ４０からの振動を減衰できる材料で形成された第２のホース６３により構成されるので、第２の流路部６０に伝達されたキャンドポンプ４０の振動が第２のホース６３によって吸収される。この為、キャンドポンプ４０の振動が容器２０に伝達されることが低減される。
【００５１】
さらに、電装部７０が容器２０の外に配置されるので、電装部７０を大気で冷却することが可能となる。さらに、電装部７０が有する電解コンデンサ等の消耗部品の交換作を含む電装部７０のメンテナンス作業を行いやすい。さらに、表示部７１の視認性を向上できる。
【００５２】
さらに、アキュムレータ１００が容器２０の外に配置されるので、容器２０内にアキュムレータ１００を配置することがないので、容器２０の内部空間を大きくする必要がない。すなわち、容器２０を大型化することがない。
【００５３】
さらに、逆止弁１１０、流量センサ１１５及びセンサの一例である圧力センサ１２０が、容器２０の外側に配置されているので、逆止弁１１０、流量センサ１１５及び圧力センサ１２０のメンテナンス作業が行いやすい。
【００５４】
また、例えば、通常のモータと、このモータにより軸を介して駆動されるポンプを備える場合、モータとポンプとの間にメカニカルシール等の軸封部を設ける必要があり、軸封部から水蒸気が発生する。
【００５５】
しかしながら、給水装置１０は、キャンドポンプ４０を用いる構成である為、上述の軸封部を用いない。この為、この軸封部により生じる水蒸気の発生がないので、容器２０の真空度が低下することを防止できる。  
さらに、容器２０の胴部２３を円筒状に構成することにより、容器２０の耐圧性能を向上できる。  
さらに、キャンドポンプ４０のモータ部４１ａのモータフレーム４２が、熱の伝導率が良い導体から形成されることにより、キャンドポンプ４０の熱がモータフレーム４２の外周面から電磁波として容器２０の内面に向かって輻射される。この為、モータ部４１ａの温度が高くなることを防止できる。さらに、モータフレーム４２の外周面が輻射効率の良い材料から構成されることによって、モータ部４１ａの温度が高くなることをより一層防止できる。さらに、モータフレーム４２の外周面に黒い塗料を塗布することによりモータフレーム４２の外周面を黒色にすることによって、モータフレーム４２の外周面の輻射効率を、簡単に向上することが可能となる。
【００５６】
さらに、容器２０の内面を輻射効率の良い材料から構成することによって、容器２０は、モータ部４１ａからの熱を吸収しやすくなる。この為、容器２０が、モータ部４１ａからの熱を吸収して容器２０外へ放出するので、容器２０内の温度が高くなることを防止できる。さらに、容器２０の内面に輻射効率のよい別部材を設けたり、または、輻射効率のよい塗料を塗布することにより、容器２０の外面の輻射効率を高める必要がない。この為、容器２０が屋外に配置された場合に容器２０が太陽光を吸収することによって容器２０内の温度が高くなることを防止できる。さらに、容器２０の内面に黒色の塗料を塗布することによって、容器２０の内面の輻射効率を簡単に向上することが可能となる。
【００５７】
次に、本発明の第２の実施形態に係る給水装置１０Ａを、図２及び図３を用いて説明する。なお、第１の実施形態の給水装置１０と同様の機能を有する構成は、給水装置１０と同一の符号を付して説明を省略する。
【００５８】
図２は、給水装置１０Ａの構成を示す断面図である。図３は、給水装置１０Ａの構成を示す断面図であり、図２に対して、給水装置１０Ａに用いられる容器２０Ａの胴部２３Ａの軸線回りに９０度回転した状態を示している。
【００５９】
図２及び図３に示すように、給水装置１０Ａは、容器２０Ａと、キャンドポンプ４０と、第１の流路部５０Ａと、第２の流路部６０Ａと、電装部７０と、モータケーブル８０と、吐出側継ぎ手９０と、アキュムレータ１００と、を有している。
【００６０】
容器２０Ａは、上端が開口する筒状に構成されたケース２１Ａと、ケース２１Ａの上端に設けられたカバー２２Ａと、を有している。ケース２１Ａは、胴部２３Ａと、底壁部２４と、胴部２３Ａの上端に形成されたフランジ部２５と、を有している。
【００６１】
胴部２３Ａは、例えば円筒状に構成されている。胴部２３Ａは、第３の孔部２３ｃを有している。胴部２３Ａの下端は、底壁部２４に、例えば溶接により固定されている。胴部２３Ａと底壁部２４との間は、密閉される。
【００６２】
カバー２２Ａは、フランジ部２５の上に、シール部材２５ａを介して配置されている。カバー２２Ａは、第１，２，４の孔部２３ａ，２３ｂ，２３ｄを有している。  
このように構成された容器２０Ａは、容器２０と同様に、内面が黒色の塗料が塗布されている。
【００６３】
第１の流路部５０Ａは、吸込口４７と第１の孔部２３ａとの間の流路部を構成し、第１の流路部５０の一次側となる容器２０外からポンプ部４１ｂに水を送水可能に構成されている。第１の流路部５０と吸込口４７との間は、密閉される。第１の流路部５０と第１の孔部２３ａとの間は密閉される。
【００６４】
第１の流路部５０Ａは、１つまたは複数の部材により構成されている。第１の流路部５０Ａが１つの部材で構成される場合は、第１の流路部５０Ａは、キャンドポンプ４０からの振動を減衰可能な材料から形成される。第１の流路部５０Ａが複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。
【００６５】
第１の流路部５０Ａは、本実施形態では、一例として複数の部材から構成されており、さらに一例として、吸込管５１と、第１の継ぎ手５２と、第１のホース５３Ａと、を有している。
【００６６】
第１のホース５３Ａは、キャンドポンプ４０からの振動を減衰可能な材料から形成されている。第１のホース５３Ａは、例えばゴムから形成されている。第１のホース５３Ａの一端は、吸込管５１に接続されている。第１のホース５３Ａは、例えば、内部に吸込管５１が嵌合されている。この嵌合により、第１のホース５３Ａの内周面と吸込管５１の外周面との間が密閉される。第１のホース５３Ａの他端は、第１の継ぎ手５２に接続されている。第１のホース５３Ａは、例えば、内部に第１の継ぎ手５２が嵌合されている。この嵌合により、第１のホース５３Ａの内周面と第１の継ぎ手５２Ａの外周面との間が密閉される。
【００６７】
第１のホース５３Ａは、キャンドポンプ４０を、容器２０内に吊る長さを有している。換言すると、第１のホース５３は、キャンドポンプ４０を、底面２４ａから浮いた状態で容器２０内に保持する長さを有している。このように構成された第１の流路部５０Ａは、キャンドポンプ４０を、吸込口４７が第１の孔部２３ａに上下方向に対向する姿勢で、容器２０内に保持する。
【００６８】
第２の流路部６０Ａは、吐出口４８と第２の孔部２３ｂとの間の流路部を構成し、第２の流路部６０Ａの二次側となる容器２０外へ、ポンプ部４１ｂからの水を送水可能に構成されている。第２の流路部６０Ａと吐出口４８との間は、密閉される。第２の流路部６０Ａと第２の孔部２３ｂとの間は密閉される。
【００６９】
第２の流路部６０Ａは、１つまたは複数の部材により構成されている。第２の流路部６０Ａが１つの部材から構成される場合は、第２の流路部６０Ａは、キャンドポンプ４０からの振動を減衰可能な材料から形成される。第２の流路部６０Ａが複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。第２の流路部６０Ａは、本実施形態では、一例として複数の部材から構成されており、さらに一例として、吐出管６１と、第２の継ぎ手６２と、第２のホース６３Ａと、を有している。吐出管６１は、吐出口４８が胴部２３Ａの内面に対向することから、上方に９０度屈曲する形状に構成されている。
【００７０】
このように構成された給水装置１０Ａは、第１の実施形態と同様の効果が得られる。さらに、キャンドポンプ４０は、第１の流路部５０Ａによって容器２０Ａ内に吊るされた状態で保持される。この為、キャンドポンプ４０が、台等を介して容器２０Ａに接触することがないので、キャンドポンプ４０の振動が容器２０Ａに伝達されることがより一層低減される。
【００７１】
さらに、キャンドポンプ４０は、第１の流路部５０Ａによってカバー２２Ａから吊るされる構成であり、さらに、第４の孔部２３ｄがカバー２２Ａに形成されている。この為、キャンドポンプ４０を容器２０Ａ内に収容する際には、キャンドポンプ４０のポンプ部４１ｂにモータケーブル８０を接続してからカバー２２Ａをケース２１Ａの上端に配置すればよいので、モータケーブル８０の配線作業を行いやすい。
【００７２】
なお、本実施形態では、キャンドポンプ４０は、第１の流路部５０Ａによって、カバー２２Ａに吊られた状態で、容器２０Ａ内に保持されている。しかしながら、キャンドポンプ４０は、第１の流路部５０Ａによって容器２０Ａ内に吊られた状態で保持されることに限定されない。他の例では、キャンドポンプ４０は、第２の流路部６０Ａに吊られた状態で容器２０Ａ内に保持されてもよい。または、キャンドポンプ４０は、第１の流路部５０及び第２の流路部６０Ａによって吊られた状態で、容器２０Ａ内に保持されてもよい。
【００７３】
次に、本発明の第３の実施形態に係る給水装置１０Ｂを、図４乃至図６を用いて説明する。なお、第２の実施形態の給水装置１０Ａと同様の機能を有する構成は、給水装置１０Ａと同一の符号を付して説明を省略する。
【００７４】
図４は、給水装置１０Ｂの構成を示す断面図である。図５は、給水装置１０Ｂの構成を示す断面図であり、図４に対して、給水装置１０Ｂに用いられる容器２０Ａの胴部２３Ａの軸線回りに９０度回転した状態を示している。図６は、給水装置１０Ｂに用いられるウォータージャケット１３０の構成を示す断面図である。
【００７５】
図４乃至図６に示すように、給水装置１０Ｂは、容器２０Ｂと、キャンドポンプ４０と、第１の流路部５０Ｂと、第２の流路部６０Ｂと、電装部７０と、モータケーブル８０と、吐出側継ぎ手９０と、アキュムレータ１００と、を有している。
【００７６】
容器２０Ｂは、ケース２１Ａと、ケース２１Ａの上端に設けられたカバー２２Ｂと、を有している。カバー２２Ｂは、本体部２２Ｂ１と、フランジ部２２Ｂ２と、を有している。本体部２２Ｂ１は、第１，２，４の孔部２３ａ，２３ｂ，２３ｄを有している。フランジ部２２Ｂ２は、シール部材２５ａを介してフランジ部２５上に配置されている。  
このように構成された容器２０Ｂは、給水装置１０Ａの容器２０Ａと同様に、内面に黒色の塗料が塗布されている。
【００７７】
第１の流路部５０Ｂは、吸込口４７と第１の孔部２３ａとの間の流路部を構成し、第１の流路部５０の一次側となる容器２０外からポンプ部４１ｂに水を送水可能に構成されている。第１の流路部５０Ｂと吸込口４７との間は、密閉される。第１の流路部５０と第１の孔部２３ａとの間は密閉される。
【００７８】
第１の流路部５０Ｂは、１つまたは複数の部材により構成されている。第１の流路部５０Ｂが１つの部材で構成される場合は、第１の流路部５０Ｂは、キャンドポンプ４０からの振動を減衰可能な材料から形成される。第１の流路部５０Ｂが複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。
【００７９】
第１の流路部５０Ｂは、本実施形態では、一例として複数の部材から構成されており、さらに一例として、吸込管５１と、第１の継ぎ手５２Ｂと、第１のホース５３Ａと、を有している。
【００８０】
第１の継ぎ手５２Ｂは、管状に構成されており、第１の孔部２３ａの内周面に固定されている。第１の継ぎ手５２Ｂは、第１のホース５３Ａが接続される第１の部分５２Ｂ１と、水道管や貯水槽に連結された連結管が連結される第２の部分５２Ｂ２と、を有している。すなわち、第１の継ぎ手５２Ｂは、給水装置１０Ａの第１の継ぎ手５２と連結口部２３ａ１とが一体となった構成を有している。第１の孔部２３ａの内周面と第１の継ぎ手５２Ｂの外周面との間は、密閉されている。
【００８１】
第１のホース５３Ａの他端は、第１の継ぎ手５２Ｂに接続されている。第１のホース５３Ａは、例えば、内部に第１の継ぎ手５２Ｂの第１の部分５２Ｂ１が嵌合されている。この嵌合により、第１のホース５３Ａの内周面と第１の部分５２Ｂ１の外周面との間は、密閉されている。
【００８２】
第２の流路部６０Ｂは、吐出口４８と第２の孔部２３ｂとの間の流路部を構成し、第２の流路部６０Ｂの二次側となる容器２０外へ、ポンプ部４１ｂからの水を送水可能に構成されている。第２の流路部６０Ｂと吐出口４８との間は、密閉される。第２の流路部６０Ｂと第２の孔部２３ｂとの間は密閉される。
【００８３】
第２の流路部６０Ｂは、１つまたは複数の部材により構成されている。第２の流路部６０Ｂが１つの部材から構成される場合は、第２の流路部６０Ｂは、キャンドポンプ４０からの振動を減衰可能な材料から形成される。第２の流路部６０Ｂが複数の部材から構成される場合は、これら複数の部材の少なくとも１つが、キャンドポンプ４０からの振動を減衰可能な材料から形成される。なお、キャンドポンプ４０からの振動を減衰可能な材料から形成される少なくとも１つの部材は、筒状に構成された部材である。第２の流路部６０Ｂは、本実施形態では、一例として複数の部材から構成されており、さらに一例として、吐出管６１と、第２の継ぎ手６２と、第２のホース６３Ａと、ウォータージャケット１３０と、第３のホース１４０と、を有している。ウォータージャケット１３０は、キャンドポンプ４０のモータ部４１ａ外周面に、モータ部４１ａの外周面と熱交換を可能に固定されている。
【００８４】
ウォータージャケット１３０は、図６に示すように、キャンドポンプ４０から吐出された水が流動する流路を構成する本体部１３１と、本体部１３１に設けられた流入部１３２と、本体部１３１に設けられた流出部１３３と、を有している。
【００８５】
本体部１３１は、モータ部４１ａの外周面に例えばブラケット１３１ａを介して固定されている。ブラケット１３１ａは、熱の伝導性がよい材料から構成されており、例えば金属材料から構成されている。なお、本体部１３１は、ブラケット１３１ａを介してモータ部４１ａの外周面に固定されることに限定されない。本体部１３１は、直接、モータ部４１ａの外周面に固定されてもよい。
【００８６】
本体部１３１の内部空間は、例えば、壁部１３４によって、上流側流路１３５及び下流側流路１３６を有するＵ字状の流路に構成されている。すなわち、壁部１３４により、本体部１３１内の流路長が長く構成されている。壁部１３４は、重力が作用する方向に平行な２つの主面を有する平板状に構成されている。
【００８７】
流入部１３２は、本体部１３１の上部に設けられており、上流側流路１３５に連通している。流入部１３２は、例えば、管が本体部１３１に固定されることにより構成されている。流出部１３３は、本体部１３１の上部に設けられており、下流側流路１３６に連通している。流出部１３３は、例えば、管が本体部１３１に固定されることにより構成されている。
【００８８】
第３のホース１４０は、キャンドポンプ４０からの振動を減衰可能な材料から構成されており、一例としてゴムを材料として形成されている。第３のホース１４０の一端は、キャンドポンプ４０の吐出管６１に接続されている。第３のホース１４０の一端内には、吐出管６１が嵌合している。この嵌合により、第３のホース１４０の内周面と吐出管６１の外周面との間が密閉される。第３のホース１４０の他端は、ウォータージャケット１３０の流入部１３２に接続されている。第３のホース１４０の他端内には、流入部１３２が嵌合している。この嵌合により、第３のホース１４０の内周面と流入部１３２の外周面との間が密閉される。
【００８９】
第３のホース１４０は、キャンドポンプ４０の吐出口４８からの水を、ウォータージャケット１３０に導く。第２のホース６３Ａの一端は、ウォータージャケット１３０の流出部１３３に接続されている。第２のホース６３Ａの一端内には、流出部１３３が嵌合している。この嵌合により、第２のホース６３Ａの内周面と流出部１３３の外周面との間が密閉される。第２のホース６３Ａの他端は、第２の継ぎ手６２に接続されている。
【００９０】
なお、本実施形態においても、キャンドポンプ４０は、第１の流路部５０Ｂ及び第２の流路部６０Ｂの少なくとも一方により、容器２０Ｂ内に吊られた状態で保持される。
【００９１】
このように構成された給水装置１０Ｂは、第２の実施形態の効果と同様の効果が得られる。さらに、ウォータージャケット１３０によりキャンドポンプ４０のモータ部４１ａを冷却することが可能となる。
【００９２】
さらに、キャンドポンプ４０の吐出口４８と第２の孔部２３ｂとの間の第２の流路部６０Ｂの一部にウォータージャケット１３０を構成することによって、キャンドポンプ４０の吐き出した水を利用してモータ部４１ａを冷却できるので、ウォータージャケット１３０に水を循環させる別のポンプ等の構成が不要となる。
【００９３】
さらに、容器２０Ｂ内の圧力が大気圧に対して負圧であることから容器２０Ｂ内の気体の分子量が少なくなっているので、ウォータージャケット１３０を用いても、容器２０内に結露の発生を防止できる。
【００９４】
次に、第４の実施形態に係る給水装置１０Ｃを、図７乃至図９を用いて説明する。なお、第１の実施形態の給水装置１０と同様の機能を有する構成は、給水装置１０と同一の符号を付して説明する。
【００９５】
図７は、給水装置１０Ｃの構成を、カバー２２が取り外された状態で示す平面図である。図８は、給水装置１０Ｃの構成を、図７に示すＦ８−Ｆ８線断面に沿って示す断面図である。図９は、給水装置１０Ｃの構成を、図７に示すＦ９−Ｆ９線断面に沿って示す断面図である。
【００９６】
図７乃至図９に示すように、給水装置１０Ｃは、容器２０Ｃと、台３０Ｃと、第１の流路部５０Ｃと、第２の流路部６０Ｃと、電装部７０と、２つのモータケーブル８０と、吐出側継ぎ手９０Ｃと、アキュムレータ１００と、２つのモータ１５０と、２つのポンプ１５５と、吸込側継ぎ手１８０と、を有している。
【００９７】
容器２０Ｃは、ケース２１Ｃと、カバー２２と、を有している。  
ケース２１Ｃは、胴部２３と、底壁部２４と、脚部２６と、を有している。脚部２６は、底壁部２４の外面となる下面２４ｃに固定されている。胴部２３の上端にはカバー２２が配置されている。胴部２３の内周面の上端には、シール部材２５ａが固定されている。カバー２２には、胴部２３のシール部材２５ａと密着されるシール部材２５ａが固定されている。カバー２２が胴部２３の上端に配置され、容器２０Ｃ内が真空ポンプにより真空引きされると、胴部２３のシール部材２５ａとカバー２２のシール部材２５ａとの間が密閉される。この為、容器２０Ｃ内が密閉される。脚部２６は、容器２０を給水装置１０Ｃが設置される設置場所に支持する。脚部２６は、例えば複数設けられている。  
このように構成された容器２０Ｃは、給水装置１０の容器２０と同様に、内面に黒色の塗料が塗布されている。
【００９８】
台３０Ｃは、底面２４ａに固定されており、吸込側合流管１６０と吐出側合流管１７０とを支持する。台３０Ｃは、容器２０の底面２４ａに固定された本体部３３と、本体部３３上に固定された減衰部３４と、減衰部３４上に固定されたベース３５と、を有している。
【００９９】
本体部３３は、ベース３５に固定された吸込側合流管１６０と吐出側合流管１７０とを、容器２０Ｃ内の所定高さに配置する。減衰部３４は、モータ１５０及びポンプ１５５からの振動を減衰可能な材料から形成されており、一例として、ゴムを含む材料から形成されている。減衰部３４は、具体的には、ゴムで形成された減衰部本体３４ａと、減衰部本体３４ａをベース３５及び本体部３３に固定する固定部３４ｂと、を有している。固定部３４ｂは、本実施形態では、一例としてゴム以外の材料で構成されている。このように、減衰部３４は、本実施形態では、ゴムを含む材料から形成されている。なお、減衰部３４は、ゴムのみから形成されてもよい。減衰部３４は、例えば複数設けられている。
【０１００】
ベース３５は、減衰部３４のそれぞれに１つずつ固定されている。複数のベース３５のうちいくつかのベース３５、例えば２つのベース３５の上に、吸込側合流管１６０が固定されている。複数のベース３５のうち残りのベース３５に、吐出側合流管１７０が固定されている。
【０１０１】
第１の流路部５０Ｃは、ポンプ１５５の吸込口４７と第１の孔部２３ａとの間の流路部を構成し、第１の流路部５０Ｃの一次側となる吸込側継ぎ手１８０からの水を２つのポンプ１５５に送水可能に構成されている。第１の流路部５０Ｃと吸込口４７との間は、密閉される。第１の流路部５０と第１の孔部２３ａとの間は密閉される。
【０１０２】
第１の流路部５０Ｃは、１つまたは複数の部材により構成されている。第１の流路部５０Ｃが１つの部材で構成される場合は、第１の流路部５０Ｃは、ポンプ１５５及びモータ１５０からの振動を減衰可能な材料から形成される。第１の流路部５０Ｃが複数の部材から構成される場合は、これら複数の部材の少なくとも１つが、ポンプ１５５及びモータ１５０からの振動を減衰可能な材料から形成される。なお、ポンプ１５５及びモータ１５０からの振動を減衰可能な材料から形成される少なくとも１つの部材は、筒状に構成された部材である。
【０１０３】
第１の流路部５０Ｃは、本実施形態では、一例として複数の部材から構成されており、さらに一例として、２つのポンプ１５５のそれぞれの吸込口４７に接続された吸込側合流管１６０と、第１の継ぎ手５２Ｂと、第１のホース５３と、を有している。なお、第１の継ぎ手５２Ｂは、第３の実施形態の給水装置１０Ｂの第１の継ぎ手５２Ｂと同じ構成である。吸込側合流管１６０は、台３０Ｃの２つのベース３５上に固定されている。第１のホース５３は、吸込側合流管１６０の吸込口１６１と、第１の継ぎ手５２Ｂの第１の部分５２Ｂ１とに接続されている。第１のホース５３内に吸込口１６１が嵌合している。この嵌合により、第１のホース５３の内周面と吸込口１６１の外周面との間が密閉される。第１のホース５３内に第１の継ぎ手５２Ｂの第１の部分５２Ｂ１が嵌合される。この嵌合により、第１のホース５３の内周面と第１の部分５２Ｂ１の外周面との間が密閉される。
【０１０４】
第２の流路部６０Ｃは、２つのポンプ１５５の吐出口４８と第２の孔部２３ｂとの間の流路部を構成し、第２の流路部６０Ｂの二次側となる吐出側継ぎ手９０Ｃへ、２つのポンプ１５５からの水を送水可能に構成されている。第２の流路部６０Ｃと吐出口４８との間は、密閉される。第２の流路部６０Ｃと第２の孔部２３ｂとの間は密閉される。
【０１０５】
第２の流路部６０Ｃは、１つまたは複数の部材により構成されている。第２の流路部６０Ｃが１つの部材から構成される場合は、第２の流路部６０Ｃは、ポンプ１５５及びモータ１５０からの振動を減衰可能な材料から形成される。第２の流路部６０Ｃが複数の部材から構成される場合は、これら複数の部材の少なくとも１つが、ポンプ１５５及びモータ１５０からの振動を減衰可能な材料から形成される。なお、ポンプ１５５及びモータ１５０からの振動を減衰可能な材料から形成される少なくとも１つの部材は、筒状に構成された部材である。
【０１０６】
第２の流路部６０Ｃは、本実施形態では、一例として複数の部材から構成されており、さらに一例として、２つのポンプ１５５のそれぞれの吐出口４８に１つずつ連結された吐出管６１と、２つの吐出管６１のそれぞれに接続された吐出側合流管１７０と、第２の継ぎ手６２と、第２のホース６３と、を有している。吐出側合流管１７０は、台３０Ｃの２つのベース３５上に固定されている。
【０１０７】
第２のホース６３は、吐出側合流管１７０の吐出口１７１と第２の継ぎ手６２とに接続されている。第２のホース６３内に吐出口１７１が嵌合している。この嵌合により、第２のホース６３の内周面と吐出口１７１の外周面との間が密閉される。第２のホース６３内に第２の継ぎ手６２が嵌合している。この嵌合により、第２のホース６３の内周面と第２の継ぎ手６２の外周面との間が密閉される。
【０１０８】
モータ１５０は、例えばブラシレスモータである。モータ１５０は、ポンプ１５５の上部に固定されている。モータ１５０は、モータケーブル８０が接続されている。  
ポンプ１５５は、吸込側合流管１６０に接続されている。ポンプ１５５は、吸込側合流管１６０からの水を増圧して吐き出す。ポンプ１５５は、ポンプケーシング１５５ａと、内部に収容されてモータ１５０により回転するインペラと、を有している。ポンプケーシング１５５ａは、吸込口４７と、吐出口４８と、を有している。吸込口４７は、吸込側合流管１６０に接続されている。吐出口４８は、吐出管６１が接続されている。
【０１０９】
ポンプケーシング１５５ａは、熱の伝導率が高い材料から形成されている。さらに、ポンプケーシング１５５ａの外面は、輻射効率がよい材料が構成されている。ポンプケーシング１５５ａは、これらの条件を満たす構成の一例として、熱の伝導率が高い材料で構成されるとともに、外面に輻射効率のよい色の塗料が塗布されている。ポンプケーシング１５５ａは、具体的には、熱伝導率が高い材料の一例としてアルミニウムを材料として形成されるとともに、外面に輻射効率のよい色の一例として黒色の塗料が塗布されている。
【０１１０】
吸込側継ぎ手１８０は、第１の流路部５０Ｃの一次側に接続されている。本実施形態では、吸込側継ぎ手１８０は、第１の継ぎ手５２Ｂに接続されている。吸込側継ぎ手１８０と第１の継ぎ手５２Ｂとの間は、密閉されている。
【０１１１】
吸込側継ぎ手１８０は、容器２０Ｃの外側に配置されている。吸込側継ぎ手１８０は、第１の流路部５０Ｃの一次側の流路の一部を構成する。吸込側継ぎ手１８０は、水道管に接続された連結管、または、水道管に接続可能に構成されている。
【０１１２】
吸込側継ぎ手１８０は、水道管に接続された管、または、水道管に連結可能な連結口１８１を有している。また、吸込側継ぎ手１８０の内部の流路には、吸込側圧力センサ１８２と、逆流防止装置１８３と、ポンプ吸込側圧力センサ１８４と、が設けられている。
【０１１３】
吸込側圧力センサ１８２は、連結口１８１の二次側に配置されている。吸込側圧力センサ１８２は、連結口１８１からの水の圧力を検出する。吸込側圧力センサ１８２は、圧力に応じた信号を例えば信号線１８２ａを介して電装部７０に送信する。逆流防止装置１８３は、吸込側圧力センサ１８２の二次側に配置されている。逆流防止装置１８３は、水道管側からの水を二次側に流し、逆流防止装置１８３の二次側からの水を一次側に流すことを防止する。ポンプ吸込側圧力センサ１８４は、逆流防止装置１８３の二次側に配置されている。ポンプ吸込側圧力センサ１８４は、水道管側からの水の圧力を検出する。ポンプ吸込側圧力センサ１８４は、圧力に応じた信号を、例えば信号線１８４ａを介して電装部７０に送信する。
【０１１４】
吐出側継ぎ手９０Ｃは、圧力センサ１２０と、流量センサ１９０と、を有している。流量センサ１９０は、吐出側継ぎ手９０Ｃを流れる水の流量を検出する。流量センサ１９０は、流量に応じた信号を、例えば信号線１９１を介して電装部７０に送信する。
【０１１５】
このように構成された給水装置１０Ｃの容器２０Ｃは、バルブ２８に接続された真空ポンプによって、内部の圧力が大気圧に対して負圧となる所定の設定値される。所定の設定値は、例えば、１〜１００Ｐａである。バルブ２８が閉じると、容器２０Ｃ内の密閉が維持される。
【０１１６】
このように構成された給水装置１０Ｃは、第１の実施形態と同様の効果が得られる。  
さらに、ポンプケーシング１５５ａが熱の伝導率が良い導体で形成されている為、モータ１５０の熱がポンプケーシング１５５ａに伝わりやすい。この為、モータ１５０を、ポンプケーシング１５５ａにより冷却できる。
【０１１７】
なお、第１乃至第３の実施形態では、キャンドポンプ４０が用いられたがこれに限定されない。例えば、第１乃至第３の実施形態でも、第４の実施形態で説明された、モータ１５０と、このモータにより駆動されるポンプ１５５と、を有してよい。
【０１１８】
なお、第１乃至第４の実施形態では、電装部７０と、流量センサ１１５、圧力センサ１８２，１８４、及び流量センサ１９０が、容器２０の外側に配置されている。さらにセンサは、吐出側継ぎ手９０，９０Ａ、または、吸込側継ぎ手１８０に収容されている。この為、給水装置１０，１０Ａ，１０Ｂ，１０Ｃを屋外で使用する用途の場合は、給水装置１０，１０Ａ，１０Ｂ，１０Ｃは、電装部７０、吐出側継ぎ手９０，９０Ａ、及び吸込側継ぎ手１８０を覆うカバーを有してもよい。
【０１１９】
また、第１乃至第４の実施形態では、モータとポンプ以外で、メンテナンスが必要な構成の一例として、電装部７０やセンサが容器２０，２０Ａ，２０Ｂ，２０Ｃの外に配置されている。しかしながら、容器の外に配置される構成は、電装部７０やセンサに限定されない。給水装置１０，１０Ａ，１０Ｂ，１０Ｃが電装部７０やセンサ以外にメンテナンスが必要な構成を有する場合、このメンテナンスが必要な構成を容器２０，２０Ａ，２０Ｂ，２０Ｃの外に配置してもよい。
【０１２０】
また、第１乃至第３の実施形態では、キャンドポンプ４０のモータ部４１ａ及びモータ１５０は、ブラシレスモータである。この為、例えば、モータ部４１ａのロータ４４の位置を検出するセンサを有し、このセンサが電装部７０に信号線を介して接続される構成の場合は、容器２０，２０Ａ，２０Ｂは、この信号線の一部を配置する孔部を有してもよい。この孔部には、信号線との間の密閉するシール部材が設けられる。第４の実施形態でも同様に、モータ１５０のロータの位置を検出するセンサが信号線で電装部７０に接続される構成を有する場合は、容器２０Ｃは、この信号線の一部を配置する孔、及びシール部材を有してもよい。
【０１２１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１２２】
１０…給水装置、１０Ａ…給水装置、１０Ｂ…給水装置、１０Ｃ…給水装置、２０…容器、２０Ａ…容器、２０Ｂ…容器、２０Ｃ…容器、２１…ケース、２１Ａ…ケース、２１Ｂ…ケース、２１Ｃ…ケース、２２…カバー、２２Ａ…カバー、２２Ｂ…カバー、２３…胴部、２３…第１の孔部、２３ａ…第１の孔部、２３Ａ…胴部、２３ｂ…第２の孔部、２３ｃ…第３の孔部、２３ｄ…第４の孔部、２８…バルブ、２９…シール部材、３０…台、３０Ａ…台、３１…脚部、３２…ベース、３４…減衰部、３５…ベース、４０…キャンドポンプ、４１ａ…モータ部、４１ｂ…ポンプ部、４２…モータフレーム、４２ａ…本体部、４２ｂ…缶、４３…ステータ、４４…ロータ、４５…ポンプケーシング、５０…第１の流路部、５０Ａ…第１の流路部、５０Ｂ…第１の流路部、５０Ｃ…第１の流路部、吸込管…５１、５２…第１の継ぎ手、５３…第１のホース、５３Ａ…第１のホース、５３Ｂ…第１のホース、６０…第２の流路部、６０Ａ…第２の流路部、６０Ｂ…第２の流路部、６０Ｃ…第２の流路部、６１…吐出管、６２…第２の継ぎ手、６３…第２のホース、６３Ａ…第２のホース、６３Ｂ…第２のホース、６３Ｃ…第２のホース、７０…電装部、８０…モータケーブル、１００…アキュムレータ、１１０…逆止弁、１１５…流量センサ、１１６…信号線、１２０…圧力センサ、１２１…信号線、１３０…ウォータージャケット、１３４…壁部、１３５…上流側流路、１３６…下流側流路、１５０…モータ（モータ部）、１５５…ポンプ（ポンプ部）、１８２…吸込側圧力センサ、１８３…逆流防止装置、１８４…ポンプ吸込側圧力センサ、１９０…流量センサ。
【図１】
2019190319.tif 000003
【図２】
2019190319.tif 000004
【図３】
2019190319.tif 000005
【図４】
2019190319.tif 000006
【図５】
2019190319.tif 000007
【図６】
2019190319.tif 000008
【図７】
2019190319.tif 000009
【図８】
2019190319.tif 000010
【図９】
2019190319.tif 000011